(57)【要約】【課題】ＣＡＴＶネットワークのケーブルモデム監視に関するトラフィック量を削減し、監視装置から監視可能なすべてのＣＭの状態確認の完了までに要する時間を短縮する可能にする。【解決手段】  状態確認の要求を各ケーブルモデムにブロードキャストにより送信する工程と、前記状態確認の要求を受信する各ケーブルモデムは、自ケーブルモデムに割り当てられた識別子に基づいて遅延時間を求める工程と、前記状態確認の要求に対する確認応答は前記遅延時間を経たときに応答する工程とを有する。【選択図】      図８
2006101234.tif 000002
【特許請求の範囲】
【請求項１】
監視装置は状態確認の要求を監視下のケーブルモデムにブロードキャストにより送信する工程と、
前記状態確認の要求を受信する各ケーブルモデムは、各ケーブルモデムに割り当てられた識別子に基づいて遅延時間を求める工程と、
前記状態確認の要求に対する確認応答は前記遅延時間を経たときに応答する工程と、
を有するケーブルモデムの監視方法。
【請求項２】
請求項１記載のケーブルモデムの監視方法において、
前記識別子はＩＰアドレスあるいはＩＰアドレスの一部である。
【請求項３】
請求項１記載のケーブルモデムの監視方法において、
前記識別子はＭＡＣアドレスあるいはＭＡＣアドレスの一部である。
【請求項４】
請求項１記載のケーブルモデムの監視方法において、
更に、ファイル転送サーバを備え、
前記ファイル転送サーバは各ケーブルモデムをグループ化するためのパラメータを各ケーブルモデムに送出する工程を有する。
【請求項５】
状態確認の要求を監視下のケーブルモデムにブロードキャストにより送信する監視装置と、
前記状態確認の要求を受信する各ケーブルモデムは、各ケーブルモデムに割り当てられた識別子に基づいて遅延時間を求める確認応答タイミング発生処理部と、
前記状態確認の要求に対する確認応答は前記遅延時間を経たときに応答する送信処理部と、
を有するケーブルモデム監視システム。
【発明の詳細な説明】
【技術分野】
【０００１】
本発明は、ＩＰ網への接続に用いられるケーブルモデムを監視する監視装置、監視方法及び監視システムに関する。
【背景技術】
【０００２】
近年、インターネット利用者の爆発的な増大に伴い、ＣＡＴＶインターネット用ケーブルモデム(以降、ＣＭと呼ぶことがある)を介してインターネットに接続する利用者も増大している。この増大に伴い、利用者側のＣＡＴＶインターネット用ケーブルモデムを収容するＣＡＴＶセンタ側の通信トラフィック量の軽減及び一定の間隔で行われるケーブルモデムの状態を確認する所要時間の短縮化が望まれている。
【０００３】
図１は、センタ側からケーブルモデムを監視する従来の方法の１例を示すものである。
【０００４】
図中、ＣＡＴＶセンタ側の監視装置１００は、通常、収容される複数のＣＭのうち各ＣＭに対して順次、状態確認の要求を送信する。そして、あるＣＭから応答を受信し、そのＣＭの状態が確認できれば次のＣＭの状態確認を行う。
【０００５】
このとき次のＣＭに対する状態確認は、現在、状態確認を行っているＣＭからの確認応答を受信するか、あるいは状態確認の要求に対する確認応答のタイムアウトにより完了する。
【０００６】
即ち、ケーブルモデム１台あたりの状態を確認する所要時間は、正常に動作中のCMでは短く、非活性（例えば、電源が入っていないなど）のCMではタイムアウトまで待つので長くなる。したがって、収容するCMの状態確認の所要時間は、非活性CM台数にある程度の割合で比例することになる。
【０００７】
また、ＣＡＴＶ網を利用して双方向通信を行う際に使用するケーブルモデムに関し、CMが一斉に再接続処理動作を開始しても上り回線が競合状態になることを無くし、再接続に要する時間を短縮することが記載されている。
【特許文献１】特開２００２−３５４４３８号公報
【発明の開示】
【発明が解決しようとする課題】
【０００８】
従来の監視方法では、監視装置より接続されるＣＭの状態確認を行う場合、各ＣＭに対して状態確認の要求信号を送信するため、収容するＣＭの数が増えるに従って状態確認の要求(以降、状態確認の要求と呼ぶことがある)及び状態確認の応答(以降、状態確認の応答と呼ぶことがある)のトラフィックも増大する。さらに、ＣＭに電源が投入されていない等の非活性ＣＭの数が多い場合には、各非活性ＣＭからの確認応答をタイムアウトまで待たなければならないこと及びＣＭの状態確認を逐次実施するので、監視装置がすべてのＣＭについての状態確認の完了までに必要とする時間が長くなってしまう。
【０００９】
本発明は、ＣＡＴＶネットワークのＣＭ監視に関するトラフィック量を削減し、監視装置から監視可能なすべてのＣＭの状態確認の完了までに要する時間を短縮することを目的とする。
【課題を解決するための手段】
【００１０】
本発明によるケーブルモデム監視方法は、状態確認の要求を各ケーブルモデムにブロードキャストにより送信する工程と、前記状態確認の要求を受信する各ケーブルモデムは、自ケーブルモデムに割り当てられた識別子に基づいて遅延時間を求める工程と、前記状態確認の要求に対する確認応答は前記遅延時間を経たときに応答する工程とを有する。
【００１１】
また、本発明のケーブルモデムの監視方法は、前記ケーブルモデム監視方法において、前記識別子はＩＰアドレスあるいはＩＰアドレスの一部である。
【００１２】
また、本発明のケーブルモデムの監視方法は、前記ケーブルモデム監視方法において、前記識別子はＭＡＣアドレスあるいはＭＡＣアドレスの一部である。
【００１３】
また、本発明のケーブルモデムの監視方法は、前記ケーブルモデムの監視方法において、更に、ファイル転送サーバを備え、前記ファイル転送サーバは各ケーブルモデムをグループ化するためのパラメータを各ケーブルモデムに送出する工程を有する。
【００１４】
また、本発明のケーブルモデム監視システムは、状態確認の要求を監視下のケーブルモデムにブロードキャストにより送信する監視装置と、前記状態確認の要求を受信する各ケーブルモデムは、各ケーブルモデムに割り当てられた識別子に基づいて遅延時間を求める確認応答タイミング発生処理部と、前記状態確認の要求に対する確認応答は前記遅延時間を経たときに応答する送信処理部と、を有する。
【発明の効果】
【００１５】
監視装置の監視下にあるケーブルモデムの状態確認に要する時間を短縮でき、また、ネットワークの監視トラヒックを削減することもできる。
【発明を実施するための最良の形態】
【００１６】
図２は本発明のシステム構成の例を示す図である。
【００１７】
図中、ＣＡＴＶセンタ側３００において、監視装置１００は、監視下にあるＣＭ１８０の状態をＣＭＴＳ１６０を経由して監視する。
【００１８】
ＤＨＣＰサーバ１４０は各ケーブルモデム(ＣＭ)１８０にＩＰアドレスを割り当てる。ＴＦＴＰサーバ１２０は、ＣＭ１８０の立ち上げに必要な情報が記録されたコンフィグレーション・ファイルを提供する。
【００１９】
ＣＭＴＳ１６０は、ケーブルモデム終端装置やヘッドエンドモデムとも呼ばれ、ＣＭ１８０と連携して物理的な通信環境をＣＭ１８０に設定する。
【００２０】
ＣＭ１８０は、接続される端末（たとえば、パソコン等）との送受信データがＣＭＴＳ１６０との連携によりＩＰ網を介して通信することを可能にする。
【００２１】
図３は、ＣＭ電源投入後の立ち上げシーケンスの例を示す図である。
電源を入れてケーブルモデム１８０を起動すると、ＣＭＴＳ１６０との通信によりＣＭ１８０からの上り通信に必要な情報をパケットとして送受信し、送信電力、タイミング、周波数調整のレンジング要求等により調整及び設定をＣＭ１８０に行い、通信リンクの確立を行う(図３、ステップＡ１)。
【００２２】
ＤＨＣＰサーバ１４０はＣＭ１８０からＤＨＣＰ  ＤＩＳＣＯＶＥＲメッセージを受信後、ＤＨＣＰ ＯＦＦＥＲメッセージにＩＰアドレスを含めてＣＭ１８０へ送信にする。ＣＭ１８０は該ＩＰアドレスを割り当てる。このとき、ＤＨＣＰサーバ１４０は、ＴＦＴＰサーバ１２０のアドレスとＣＭ１８０との通信を設定するために必要なコンフィグレーション・ファイルのファイル名をＣＭ１８０に通知する(図3、ステップＡ２)。
【００２３】
次に、ＣＭ１８０はＴＦＴＰサーバ１２０からコンフィグレーション・ファイルをダウンロードする。そして、このファイルの内容にしたがってＣＭ１８０は立ち上げを行う。たとえば、ＣＭ１８０を設定する内容として、上り/下り速度情報、グループ分け情報、確認応答要求に対する応答するタイミング値などがある。
【００２４】
図４は監視装置の主要部の構成の例を示す図である。
【００２５】
図中、監視装置１００は、監視処理部１１、確認要求送出部１３、確認応答受信部１５、タイマ１７、入出力部１９から構成される。
入出力部１９は、確認要求送出部１３からのＣＭの状態確認の要求メッセージ(確認要求と呼ぶことがある)をネットワークを介してＣＭ１８０へ送信する。また、ＣＭ１８０からの確認応答メッセージを受信し、応答確認受信部１５へ転送する。また、確認要求のためのブロードキャストメッセージをＣＭ１８０に送信する処理も行う。
【００２６】
図５は、状態確認要求メッセージおよび状態確認応答メッセージの形式の例を示す図である。図中、状態確認要求メッセージの状態確認内容要求識別子にはＣＭ出力レベル要求、ＣＭ受信Ｓ／Ｎ比値要求等が含まれる。状態確認応答メッセージの状態確認応答データには、ＣＭ出力レベル、ＣＭ受信Ｓ／Ｎ比値等が含まれる。
【００２７】
図６は、監視装置からＣＭＴＳを介して複数のＣＭに状態確認の要求をブロードキャストで送信する例を示す図である。
【００２８】
図中、監視処理部１１は、所定の時間になるとタイマから起動され、ＣＭ１８０への状態確認の要求メッセージの送信処理を確認要求送出部１３に要求する。
【００２９】
確認要求送出部１３は受信した状態確認の要求メッセージを入出力部１９を介してネットワークにブロードキャストする。あるいは１回以上のマルチキャストにより監視可能な全てのＣＭ１８０に送信してもよい。
状態確認の要求メッセージを同時に受信した各ＣＭ１８０は、確認応答メッセージを一斉に監視装置１０に返送すると、ネットワークが輻輳し、その結果、他の通信に支障を与え、あるいは、状態確認の要求メッセージが廃棄される可能性が高くなる。
【００３０】
特に、大規模ＣＡＴＶネットワークになるほど確認応答メッセージが廃棄される可能性が高くなる。
【００３１】
このような状態に陥るのを回避すべく、各ＣＭ１８０は、状態確認の要求メッセージを受信すると自ＩＰアドレスの特定ビット列を取り出して、そのビット列を待ち時間係数として処理する。即ち、例えば、各ＣＭ１８０共通待ち時間が１秒で、自ＩＰアドレスの特定ビットから求めた待ち時間係数が５ならば、５秒間(１秒＊５（係数）)の待ち時間とする。
【００３２】
このように、ＩＰアドレスの特定ビット数を、例えば、８ビットであれば０から２５５の異なる待ち時間係数としてＣＭ１８０に設定することができる。他にも、ＭＡＣアドレス、ＣＭ固有の製造番号やシリアル番号の特定ビットあるいは全ビットを、例えば、８ビットであれば０から２５５の異なる待ち時間係数としてＣＭ１８０に設定することができる。
【００３３】
図７はＣＭ１乃至ＣＭ５における待ち時間係数を求める例を示すものである。この例では、２ビットを特定ビットとして取り扱っている。
共通待ち時間はコンフィギュレーション・ファイルに設定し、ＣＭ１８０はその値に基づいて設定してもよい。
【００３４】
図８は、状態確認の要求メッセージに対してＣＭが応答するするシーケンスの例を示す図である。
【００３５】
図中、監視装置１００は、状態確認の要求メッセージを各ＣＭ１８０(グループ０乃至グループ３・・・)にブロードキャストする。この実施の態様では、ＴＦＴＰサーバ１２０から各ＣＭ１８０がダウンロードするコンフィギュレーション・ファイルに応答待ち時間係数が設定される。
そして、ＣＭ１８０は状態確認の要求メッセージを受信し、確認応答メッセージを返信する際、自装置に設定された応答待ち時間係数に応じて応答時間を遅延させる。このようにして、ＣＭ１８０の応答時間に一定のバラツキを持たせることにより、確認応答メッセージの一斉応答による一時的な輻輳を回避できる。
【００３６】
図９は、非活性ＣＭが存在する場合の例を示す図である。  
【００３７】
図中、監視装置１００は状態確認の要求メッセージをＣＭ１８０にブロードキャストする。そのとき、監視装置１００は状態確認の応答メッセージを受信したＣＭ１８０と応答を受信できなかったＣＭ１８０とを一定期間経過後に調べる。このとき、状態確認の応答メッセージを受信できなかったＣＭ１８０を非活性化ＣＭとして記録する。なお、さらに、一定時間後に状態確認の要求メッセージを非活性化ＣＭ１８０に送信し、状態の再確認を行ってもよい。
【００３８】
図１０はケーブルモデムの構成の構成を示す図である。
【００３９】
図中、ケーブルモデムは同軸ケーブルによってＣＡＴＶセンタ３００に接続される。
【００４０】
ＣＡＴＶセンタ３００のＣＭＴＳ１６０とＣＭ１８０間での送受信は、上りと下りでは異なる周波数を使用する。しかしながら、近い周波数帯を使用するので、送受信によるお互いの干渉を避けるためにフィルタ４１が設けられる。変調部４２はＣＭ１８０からＣＭＴＳ１６０に送出される搬送波をデータで変調する。
【００４１】
復調部４３はＣＭＴＳ１６０からの変調された信号からデータを復調する。ケーブル終端部４４は変調部４２及び復調部４３との信号形式を終端し、信号処理部４４に渡す処理を行う。また、逆方向の信号形式の終端処理も行う。
【００４２】
信号処理部４４は、主要な処理を行う構成として以下のものがある。
・ケーブルモデム起動時にＴＦＴＰサーバからダウンロードしたコンフィグレーション・ファイルの内容に基づき初期化を行う初期設定処理部４５１、
・ＣＭＴＳ１６０から受信する信号を処理する受信処理部４５２、
・ケーブルモデム１８０からＣＭＴＳ１６０へ送信信号を処理する送信処理部４５３、
・監視装置１００からの状態確認の要求メッセージを受信したときに、初期設定処理部が設定した値に基づき、監視装置に状態確認の応答メッセージを応答するタイミングを発生する確認応答タイミング発生処理部４５４、なお、グループ分けの処理も行う、
・ケーブルモデムの状態(例えば、電源オン、起動中、通信中など)表示を制御する表示ランプ制御部４５５、
を備える。
【００４３】
ケーブルモデム１８０の信号形式をパソコンのＬＡＮカードのインタフェースに終端するＬＡＮインタフェース部４６、表示ランプ制御部に指示に従ってランプを表示する表示ランプ部４７から構成される。
【００４４】
前記初期設定処理部４５１では、ＴＦＴＰサーバ１２０から受信したコンフィグレーション・ファイルに記録されているグループ分け情報に基づき確認応答タイミング値算出処理を行う。
【００４５】
本発明には以下に示す構成もある。
【００４６】
（付記１）
監視装置は状態確認の要求を監視下のケーブルモデムにブロードキャストにより送信する工程と、
前記状態確認の要求を受信する各ケーブルモデムは、各ケーブルモデムに割り当てられた識別子に基づいて遅延時間を求める工程と、
前記状態確認の要求に対する確認応答は前記遅延時間を経たときに応答する工程と、
を有するケーブルモデムの監視方法。
【００４７】
（付記２）
請求項１記載のケーブルモデムの監視方法において、
前記識別子はＩＰアドレスあるいはＩＰアドレスの一部である。
【００４８】
（付記３）
請求項１記載のケーブルモデムの監視方法において、
前記識別子はＭＡＣアドレスあるいはＭＡＣアドレスの一部である。
【００４９】
（付記４）
請求項１記載のケーブルモデムの監視方法において、
前記識別子はケーブルモデムのシリアル番号あるいはシリアル番号の一部である。
【００５０】
（付記５）
請求項１記載のケーブルモデムの監視方法において、
更に、ファイル転送サーバを備え、
前記ファイル転送サーバは各ケーブルモデムをグループ化するためのパラメータを各ケーブルモデムに送出する工程を有する。
【００５１】
（付記６）
請求項５記載のケーブルモデムの監視方法において、
前記各ケーブルモデムは、受信した前記パラメータに従って遅延時間についてグループを形成するように自ケーブルモデムの遅延時間を決定する。
【００５２】
（付記７）
状態確認の要求を監視下のケーブルモデムにブロードキャストにより送信する監視装置と、
前記状態確認の要求を受信する各ケーブルモデムは、各ケーブルモデムに割り当てられた識別子に基づいて遅延時間を求める確認応答タイミング発生処理部と、
前記状態確認の要求に対する確認応答は前記遅延時間を経たときに応答する送信処理部と、
を有するケーブルモデム監視システム。
【図面の簡単な説明】
【００５３】
【図１】センタ側からケーブルモデムを監視する従来の方法の１例を示す図である。
【図２】本発明のシステム構成の例を示す図である。
【図３】ＣＭ電源投入後の立ち上げシーケンスの例を示す図である。
【図４】監視装置の主要部の構成の例を示す図である。
【図５】状態確認要求メッセージおよび状態確認応答メッセージの形式の例を示す図である。
【図６】監視装置からＣＭＴＳを介して複数のＣＭに状態確認の要求をブロードキャストで送信する例を示す図である。
【図７】ＣＭ１乃至ＣＭ５における待ち時間係数を求める例を示すものである。
【図８】確認要求メッセージに対してＣＭが応答するするシーケンスの例を示す図である。
【図９】非活性ＣＭが存在する場合の例を示す図である。
【図１０】ケーブルモデム装置構成の例を示す図である。
【符号の説明】
【００５４】
１１  監視処理部  
１３  確認要求送出部
１５  確認応答受信部  
１７  タイマ  
１９  入出力部  
１００  監視装置  
１２０  ＴＦＴＰサーバ  
１４０  ＤＨＣＰサーバ  
１６０  ＣＭＴＳ 
１８０  ＣＭ  
３００  ＣＡＴＶセンタ 
【図１】
2006101234.tif 000003
【図２】
2006101234.tif 000004
【図３】
2006101234.tif 000005
【図４】
2006101234.tif 000006
【図５】
2006101234.tif 000007
【図６】
2006101234.tif 000008
【図７】
2006101234.tif 000009
【図８】
2006101234.tif 000010
【図９】
2006101234.tif 000011
【図１０】
2006101234.tif 000012